(57)【要約】      （修正有）【課題】急須を直火であぶることで茶葉を焙じ茶にし、その後に急須にお湯を注ぐだけで焙じ茶を飲むことができる急須を提供する。【解決手段】直火にてあぶることができる材質でできた急須に茶漉し部を設けた急須であって、急須本体２と、急須本体内に形成された貯液体部と、貯液体部の上部に設けられて茶葉や液体を外部から急須本体内に導入する開口部４を有する隔壁５と、貯液体部に貯められた液体を外部に注ぐ注ぎ口６と、茶葉が注ぎ口から多量に流出するのを防止する茶漉し部７と、急須本体から側方に突出した取手１０とを少なくとも備える。【選択図】図２
0003193755.tif 000002
【実用新案登録請求の範囲】
【請求項１】
直火にてあぶることができる材質でできた急須に茶漉し部を設けたことを特徴とする急須。
【請求項２】
前記急須は、急須本体と、前記急須本体内に形成された貯液体部と、前記貯液体部の上部に設けられて茶葉や液体を外部から前記急須本体内に導入する開口部を有する隔壁と、前記貯液体部に貯められた液体を外部に注ぐ注ぎ口と、前記茶葉が前記注ぎ口から多量に流出するのを防止する茶漉し部とを少なくとも備えた請求項１に記載の急須。
【請求項３】
前記茶漉し部は、前記隔壁の前記貯液体部及び前記注ぎ口と連通する位置に穿設された複数個の孔により構成されている請求項２に記載の急須。
【考案の詳細な説明】
【技術分野】
【０００１】  本考案は、直火であぶることができる急須に関するものである。
【背景技術】
【０００２】  従来の一般の急須は一定の吸水性があり、匂いやお茶の成分も吸着する性質のある材質が粘土を焼成した陶器でできたものが好まれている。しかしながら、このような粘土を焼成した陶器でできた急須は、直火であぶると割れてしまうという問題点があり、例えば、茶葉を焙じ茶にしてお茶を飲むには茶葉を直火であぶっても割れることが無い材質でできた焙烙にて茶葉を直火であぶって茶葉を焙じ茶にした後、該焙じ茶を急須に入れ、その後に急須にお湯を注いで飲まなければならず、焙じ茶を飲むには、急須と焙烙の両方が必要であるとともに、焙烙で焙じ茶にしたものを急須に入れ替えなければならず、手間がかかるという問題点があった。【０００３】  特許文献１に示す急須は、上記問題点の他に、茶漉しが急須本体内に奥まった位置に設けられており、茶殻を急須本体から排除する際、茶漉しに付着した茶殻を完全に取り除くのが困難であり、茶殻が残ったままお湯を入れると品質の劣化という問題点が発生するため、茶漉しを急須本体から外さなければならず、着脱に手間がかかり、使い勝手が悪いという問題点があった。
また、焙烙に茶葉を入れて直火で焙烙をあぶって茶葉を焙じ茶にした後、該焙烙に湯を注いで浸出し、湯呑にお茶を注ぐと茶葉が大量に混入してしまうという問題点があった。
【先行技術文献】
【特許文献】
【０００４】
【特許文献１】特開２００７−２７５１７１号公報
【考案の概要】
【考案が解決しようとする課題】
【０００５】  本考案は上記従来の課題を解決するものであり、急須を直火であぶることで急須に入れた茶葉を焙じ茶にし、その後に上記急須にお湯を注ぐだけで焙じ茶を飲むことができる急須を提供することにある。
【課題を解決するための手段】
【０００６】  上記課題を解決するため、本考案の急須は、直火にてあぶることができる材質でできた急須に茶漉し部を設けたことを特徴とする。
本考案にあっては、前記急須は、急須本体と、前記急須本体内に形成された貯液体部と、前記貯液体部の上部に設けられて茶葉や液体を外部から前記急須本体内に導入する開口部を有する隔壁と、前記貯液体部に貯められた液体を外部に注ぐ注ぎ口と、前記茶葉が前記注ぎ口から多量に流出するのを防止する茶漉し部とを少なくとも備え、前記茶漉し部は、前記隔壁の前記貯液体部及び前記注ぎ口と連通する位置に穿設された複数個の孔により構成されていることが好ましい。
【考案の効果】
【０００７】  本考案の急須は、直火にてあぶることができる材質でできた急須に茶漉し部を設けたことを特徴とするものであり、急須を直火であぶることで急須に入れた茶葉を焙じ茶にし、その後に急須にお湯を注ぐだけで焙じ茶を飲むことができるという効果があり、本考案の急須を用意するだけで普通のお茶と、焙じ茶を選択して飲むことができるという効果がある。
また、請求項２のように、急須は、急須本体と、前記急須本体内に形成された貯液体部と、前記貯液体部の上部に設けられて茶葉や液体を外部から前記急須本体内に導入する開口部を有する隔壁と、前記貯液体部に貯められた液体を外部に注ぐ注ぎ口と、前記茶葉が前記注ぎ口から多量に流出するのを防止する茶漉し部とを少なくとも備え、前記茶漉し部は、前記隔壁の前記貯液体部及び前記注ぎ口と連通する位置に穿設された複数個の孔により構成されているものは、茶漉し部を着脱することなく茶漉しに付着した茶殻を取り除くのができるという効果があり、不要となった茶葉が残ったままお湯を入れると生じる品質の劣化という問題点が発生することも無く、茶漉しを急須本体から外すこともなく、使い勝手が良いという効果がある。
【図面の簡単な説明】
【０００８】
【図１】図１は、本考案の急須の実施例における側面図。
【図２】図２は、本考案の急須の実施例における平面図。
【図３】図３は、本考案の急須の実施例における断面図。
【考案を実施するための形態】
【０００９】  以下、本考案の実施の形態を図１乃至図３に基づいて詳述すると、本考案の急須１は、直火にてあぶることができる材質でできており、急須本体２と、急須本体２内に形成された貯液体部３と、貯液体部３の上部に設けられて茶葉や液体を外部から急須本体１内に導入する開口部４を有する隔壁５と、貯液体部３に貯められた液体を外部に注ぐ注ぎ口６と、茶葉が注ぎ口６から多量に流出するのを防止する茶漉し部７とを少なくとも備え、茶漉し部７は、隔壁５の貯液体部３及び注ぎ口６と連通する位置に穿設された複数個の孔８により構成されている
【００１０】  急須１は、直火にてあぶることができる材質であれば、陶器、アルミ、ステンレスなどから選択することができるが、茶漉し部７を急須本体２と一体的に形成するには、茶漉し部７を構成する複数個の孔８を簡単に穿設することができる陶器が好ましい。また、萬古焼で製造されたものが好ましい。
【００１１】  茶漉し部７を急須本体２と一体的に形成したものは、お湯が急須本体２と茶漉し部７を対流して茶葉がゆっくりと開き、お茶本来のうま味を十分に引き出すことができるという効果がある。
【００１２】  貯液体部３は、ふっくらとした丸みのある形状であり、貯液体部３にお湯を注いだ時に、茶葉が貯液体部３の中でうまく対流するようになっている。
【００１３】  開口部４は、隔壁５になるべく大きく広い円形状に開けており、不要となった茶葉を捨てやすく、貯液体部３内に手を入れて貯液体部３の掃除がしやすくなっている。
【００１４】  隔壁５は、貯液体部３に貯められた液体を外部に注ぐときに液体が隔壁５を乗り越えて直接注ぎ口６に流れ込まない大きさを有するものであり、貯液体部３に貯められた液体を外部に注ぐために急須１を徐々に傾斜させることにより、貯液体部３に貯められた液体が茶漉し部７を確実に通過して外部に注ぐことができるようになっている。
【００１５】  注ぎ口６は、注ぎ口６を注ぎ口６の先端側から見た形状がＶ字状に形成されているとともに、茶漉し部７の孔８から注ぎ口６に向かって窪み９ができるように隔壁５は注ぎ口６に向かって下り傾斜しており、お茶の流れが良くなって貯液体部３に残さず注ぎ切り易くなっており、最後の一滴まで注ぎ切ることでお茶を美味しく味わうことができるようになっている。
【００１６】  茶漉し部７は、貯液体部３及び注ぎ口６と連通する隔壁５の位置に穿設された１００個程の孔８により構成されており、その孔８の大きさや数によって味わうお茶のおいしさが大きく変わるものであるとともに、従来の金属やプラスチック製ではないので、お茶の風味への影響がないものである。
【００１７】  取手１０は、火傷をしないように適宜カバーにて覆うようにしても構わないものである。
【００１８】  実施例の茶漉し部は、前記隔壁の前記貯液体部及び前記注ぎ口と連通する位置に穿設された複数個の孔により構成されているが、前記隔壁の前記貯液体部及び前記注ぎ口と連通する位置に茶漉し取付部が大きな孔で形成されていて、その孔に茶漉しが着脱自在に設けられていても構わないものである。
【００１９】  次に、本考案の急須の使用方法について説明する。最初に蓋を取った状態で急須１を中火で１分程度温める。次に、貯液体部３内にほうじ茶等の茶葉を入れる。次に、茶葉が均等に混ざり合うように肘を支点にして揺らしながら約４５秒〜１分程度、茶葉が焦げないように焙じる。次に、貯液体部３内にお湯を注ぎ、３０秒から１分程度待って器に注ぐことで焙じ茶を飲用することができる。
【００２０】  本考案において、茶葉とは葉のみならず、植物の花、葉、根等、広義の茶を抽出するための原料を全て含むものである。また、液体とは湯、冷水その他に使用者が好みにより飲むものを含むものである。
【符号の説明】
【００２１】  １  急須
２  急須本体
３  貯液体部
４  開口部
５  隔壁
６  注ぎ口
７  茶漉し部
８  孔
９  窪み
１０  取手
【図１】
0003193755.tif 000003
【図２】
0003193755.tif 000004
【図３】
0003193755.tif 000005
【手続補正書】
【提出日】平成26年8月5日(2014.8.5)
【手続補正１】
【補正対象書類名】実用新案登録請求の範囲
【補正対象項目名】全文
【補正方法】変更
【補正の内容】
【実用新案登録請求の範囲】
【請求項１】
直火にてあぶることができる材質でできた急須に茶漉し部を設けた急須であって、前記急須は、急須本体と、前記急須本体内に形成された貯液体部と、前記貯液体部の上部に設けられて茶葉や液体を外部から前記急須本体内に導入する開口部を有する隔壁と、前記貯液体部に貯められた液体を外部に注ぐ注ぎ口と、前記茶葉が前記注ぎ口から多量に流出するのを防止する茶漉し部と、前記急須本体から側方に突出した取手とを少なくとも備えたことを特徴とする急須。
【請求項２】
前記茶漉し部は、前記隔壁の前記貯液体部及び前記注ぎ口と連通する位置に穿設された複数個の孔により構成されている請求項１に記載の急須。
【手続補正２】
【補正対象書類名】明細書
【補正対象項目名】０００５
【補正方法】変更
【補正の内容】
【０００５】  上記課題を解決するため、本考案の急須は、直火にてあぶることができる材質でできた急須に茶漉し部を設けた急須であって、前記急須は、急須本体と、前記急須本体内に形成された貯液体部と、前記貯液体部の上部に設けられて茶葉や液体を外部から前記急須本体内に導入する開口部を有する隔壁と、前記貯液体部に貯められた液体を外部に注ぐ注ぎ口と、前記茶葉が前記注ぎ口から多量に流出するのを防止する茶漉し部と、前記急須本体から側方に突出した取手とを少なくとも備えたことを特徴とする。
【手続補正３】
【補正対象書類名】明細書
【補正対象項目名】０００６
【補正方法】変更
【補正の内容】
【０００６】  本考案の急須は、直火にてあぶることができる材質でできた急須に茶漉し部を設けたことを特徴とするものであり、急須を直火であぶることで急須に入れた茶葉を焙じ茶にし、その後に急須にお湯を注ぐだけで焙じ茶を飲むことができるという効果があり、本考案の急須を用意するだけで普通のお茶と、焙じ茶を選択して飲むことができるという効果がある。
また、急須は、急須本体と、前記急須本体内に形成された貯液体部と、前記貯液体部の上部に設けられて茶葉や液体を外部から前記急須本体内に導入する開口部を有する隔壁と、前記貯液体部に貯められた液体を外部に注ぐ注ぎ口と、前記茶葉が前記注ぎ口から多量に流出するのを防止する茶漉し部と、前記急須本体から側方に突出した取手を少なくとも備え、前記茶漉し部は、前記隔壁の前記貯液体部及び前記注ぎ口と連通する位置に穿設された複数個の孔により構成されているものは、茶漉し部を着脱することなく茶漉しに付着した茶殻を取り除くのができるという効果があり、不要となった茶葉が残ったままお湯を入れると生じる品質の劣化という問題点が発生することも無く、茶漉しを急須本体から外すこともなく、使い勝手が良いという効果がある。